(57)【要約】【課題】設定されるべきＶＩＤが事前に分かっていない場合であっても、自機においてそのＶＩＤを検出および設定することが可能な通信端末、およびそのＶＩＤ決定方法を提供する。【解決手段】本発明にかかるＶＩＤ決定方法の構成は、通信端末である基地局１３０がＴａｇＶＬＡＮ方式によってサーバとの通信に使用する識別番号であるＶＩＤを決定するＶＩＤ決定方法であって、通信端末は、ＶＩＤのリストである候補リスト（全候補リスト１４０）を参照し、候補リストに記憶されたＶＩＤを順次用いてサーバとの接続を試行し、サーバとの接続に成功したら、成功したときのＶＩＤを当該通信端末のＶＩＤに決定することを特徴とする。【選択図】図２
2014216757.tif 000002
【特許請求の範囲】
【請求項１】
通信端末がＴａｇＶＬＡＮ方式によってサーバとの通信に使用する識別番号であるＶＩＤを決定するＶＩＤ決定方法であって、
前記通信端末は、
ＶＩＤのリストである候補リストを参照し、
前記候補リストに記憶されたＶＩＤを順次用いてサーバとの接続を試行し、
前記サーバとの接続に成功したら、成功したときのＶＩＤを当該通信端末のＶＩＤに決定することを特徴とするＶＩＤ決定方法。
【請求項２】
前記候補リストは、通信の規格上想定されうるすべてのＶＩＤの中から一部のＶＩＤを記憶したリストであることを特徴とする請求項１に記載のＶＩＤ決定方法。
【請求項３】
前記通信端末は、前記候補リストに含まれるすべてのＶＩＤを用いて接続の試行を行っても前記サーバとの接続が成功しなかった場合には、該候補リストに含まれないＶＩＤを用いて前記サーバとの接続を試行することを特徴とする請求項１または２に記載のＶＩＤ決定方法。
【請求項４】
前記候補リストは、優先順位が異なる複数のリストがあり、
前記通信端末は、優先順位が高いリストを参照して前記サーバとの接続を試行し、
前記サーバとの接続が成功しなかった場合には、優先順位が低いリストを参照して前記サーバとの接続を試行することを特徴とする請求項１から３のいずれか１項に記載のＶＩＤ決定方法。
【請求項５】
ＴａｇＶＬＡＮ方式によってサーバと通信する通信部と、
ＴａｇＶＬＡＮ方式に使用する識別番号であるＶＩＤを決定するＶＩＤ決定部と、
ＶＩＤのリストである候補リストとを備え、
前記ＶＩＤ決定部は、前記候補リストに記憶されたＶＩＤを順次用いて前記サーバとの接続を試行し、該サーバとの接続に成功したらそのＶＩＤを当該通信端末のＶＩＤに決定することを特徴とする通信端末。
【請求項６】
前記通信端末は無線通信の基地局であって、前記通信部は有線ネットワーク網を介してサーバと通信することを特徴とする請求項５に記載の通信端末。
【発明の詳細な説明】
【技術分野】
【０００１】
本発明は、ＴａｇＶＬＡＮ方式によってサーバと通信する通信端末、およびその通信端末がＴａｇＶＬＡＮ方式によってサーバとの通信に使用する識別番号であるＶＩＤを決定するＶＩＤ決定方法に関する。
【背景技術】
【０００２】
ＴａｇＶＬＡＮは、ＶＬＡＮ（Virtual Local Area Network：仮想ＬＡＮ）の１つである。通信端末においてＴａｇＶＬＡＮによる通信を行う際には、例えばＩＥＥＥ  ８０２．１Ｑの規格に基づいて１〜４０９４のＶＬＡＮの識別番号（以下、ＶＩＤと称する）を通信端末のＥｔｈｅｒフレームに付与する必要がある（例えば特許文献１）。
【先行技術文献】
【特許文献】
【０００３】
【特許文献１】特開２００３−５１８３５号公報
【発明の概要】
【発明が解決しようとする課題】
【０００４】
通信端末、例えば基地局をＴａｇＶＬＡＮ方式によってサーバと通信させるためには、それらは同じＶＬＡＮを介する必要がある。したがって、基地局には、接続したいサーバと同じＶＩＤを設定することとなる。通常、接続したいサーバのＶＩＤ、すなわち基地局に設定するべきＶＩＤは事前に分かっていて、そのＶＩＤを設定することによりＴａｇＶＬＡＮによるサーバとの通信が可能となる。しかしながら、設定するべきＶＩＤ（接続したいサーバのＶＩＤ）が事前に分からない場合もあり、この場合、基地局にＶＩＤを設定できない。その結果、ＴａｇＶＬＡＮによるサーバとの通信が不可能となってしまうため、基地局の出荷ができなくなる。
【０００５】
本発明は、このような課題に鑑み、設定されるべきＶＩＤが事前に分かっていない場合であっても、自機においてそのＶＩＤを検出および設定することが可能な通信端末、およびそのＶＩＤ決定方法を提供することを目的とする。
【課題を解決するための手段】
【０００６】
上記課題を解決するために、本発明にかかるＶＩＤ決定方法の代表的な構成は、通信端末がＴａｇＶＬＡＮ方式によってサーバとの通信に使用する識別番号であるＶＩＤを決定するＶＩＤ決定方法であって、通信端末は、ＶＩＤのリストである候補リストを参照し、候補リストに記憶されたＶＩＤを順次用いてサーバとの接続を試行し、サーバとの接続に成功したら、成功したときのＶＩＤを当該通信端末のＶＩＤに決定することを特徴とする。
【０００７】
上記候補リストは、通信の規格上想定されうるすべてのＶＩＤの中から一部のＶＩＤを記憶したリストであるとよい。
【０００８】
上記通信端末は、候補リストに含まれるすべてのＶＩＤを用いて接続の試行を行ってもサーバとの接続が成功しなかった場合には、候補リストに含まれないＶＩＤを用いてサーバとの接続を試行するとよい。
【０００９】
上記候補リストは、優先順位が異なる複数のリストがあり、通信端末は、優先順位が高いリストを参照してサーバとの接続を試行し、サーバとの接続が成功しなかった場合には、優先順位が低いリストを参照してサーバとの接続を試行するとよい。
【００１０】
上記課題を解決するために、本発明にかかる通信端末の代表的な構成は、ＴａｇＶＬＡＮ方式によってサーバと通信する通信部と、ＴａｇＶＬＡＮ方式に使用する識別番号であるＶＩＤを決定するＶＩＤ決定部と、ＶＩＤのリストである候補リストとを備え、ＶＩＤ決定部は、候補リストに記憶されたＶＩＤを順次用いてサーバとの接続を試行し、サーバとの接続に成功したらそのＶＩＤを当該通信端末のＶＩＤに決定することを特徴とする。
【００１１】
上記通信端末は無線通信の基地局であって、通信部は有線ネットワーク網を介してサーバと通信するとよい。
【発明の効果】
【００１２】
本発明によれば、設定されるべきＶＩＤが事前に分かっていない場合であっても、自機においてそのＶＩＤを検出および設定することが可能な通信端末、およびそのＶＩＤ決定方法を提供することができる。
【図面の簡単な説明】
【００１３】
【図１】本実施形態にかかる通信端末である基地局を含む通信システムを説明する図である。
【図２】本実施形態にかかるＶＩＤ決定方法を説明するシーケンス図である。
【図３】他の候補リストを備える基地局の機能ブロック図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
図１は、本実施形態にかかる通信端末である基地局１３０を含む通信システム１００を説明する図であり、図１（ａ）は通信システム１００の全体構成を説明する図であり、図１（ｂ）は基地局１３０の構成を例示する機能ブロック図である。以下、図１に示す通信システム１００について説明しながら本実施形態の通信端末である基地局１３０およびそのＶＩＤ決定方法について説明する。なお、本実施形態では通信端末として基地局１３０を例示したが、これに限定するものではなく、ＴａｇＶＬＡＮ方式によってサーバ１１０と通信する通信端末であれば、如何なるものにも本発明を適用可能である。
【００１６】
図１（ａ）に示すように、通信システム１００は、携帯電話等の無線通信端末（不図示）との無線通信を行う基地局１３０、ＤＨＣＰ（Dynamic Host Configuration Protocol）サーバ（以下、サーバ１１０と称する）、およびそれらの通信を行う有線ネットワーク網であるＶＬＡＮ１２０を含んで構成される。これにより、通信システム１００において、ＶＬＡＮ１２０を介してサーバ１１０と基地局１３０との通信が可能となる。
【００１７】
図１（ｂ）に示すように、本実施形態の基地局１３０は、制御部１３２、通信部１３６および記憶部１３８を備える。制御部１３２は、中央処理装置（ＣＰＵ）を含む半導体集積回路により基地局１３０全体を管理および制御する。また後述するように、本実施形態では制御部１３２は、ＴａｇＶＬＡＮ方式に使用する識別番号であるＶＩＤを決定するＶＩＤ決定部１３４としても機能する。
【００１８】
通信部１３６は、ＴａｇＶＬＡＮ方式によって有線ネットワーク網である基地局１３０を介してサーバ１１０との通信を行う。記憶部１３８は、ＲＯＭやＲＡＭ、フラッシュメモリ等で構成され、制御部１３２が実行するプログラムを記憶する。また本実施形態では、記憶部１３８は、ＶＩＤのリストである候補リストとして全候補リスト１４０を格納している。本実施形態の全候補リスト１４０には、通信の規格上想定されうるすべてのＶＩＤ、すなわちＩＥＥＥ  ８０２．１Ｑであれば１〜４０９４のすべてのＶＩＤが記憶されている。
【００１９】
なお、規格上の全範囲を格納する全候補リスト１４０を用いる場合、リスト（テーブル）を用いることなく、関数式を用いてＶＩＤを生成することもできる。しかしながら試行のログを記録することができるため、リストを用いることが好ましい。
【００２０】
ここで、基地局１３０をＴａｇＶＬＡＮ方式によってサーバ１１０と通信させるためには、それらは同じＶＬＡＮ（本実施形態ではＶＬＡＮ１２０）を介する必要がある。図１（ａ）に示すように、ＶＬＡＮ１２０のＶＩＤが３（以下、ＶＩＤ３と称する）であった場合、当然にしてサーバ１１０のＶＩＤもＶＩＤ３に設定されている。したがって、基地局１３０のＶＩＤも、接続したいサーバ１１０と同じくＶＩＤ３に設定しなければならない。しかしながら、サーバ１１０のＶＩＤが事前に分からなかった場合、基地局１３０のＶＩＤの設定ができないため、基地局１３０の出荷ができなくなってしまう。
【００２１】
そこで本実施形態では、設定されるべきＶＩＤが事前に分かっていない場合であっても、自機においてＶＩＤを検出および設定することが可能な基地局１３０およびそのＶＩＤ決定方法を提供する。なお、以下の説明では、上述したようにサーバ１１０のＶＩＤがＶＩＤ３に設定されている場合を例示する。
【００２２】
図２は、本実施形態にかかるＶＩＤ決定方法を説明するシーケンス図である。図２に示すＶＩＤ決定方法では、通信端末である基地局１３０において、全候補リスト１４０（候補リスト）に記憶されたＶＩＤを順次用いて通信部１３６によってサーバ１１０との接続を試行する。そして、サーバ１１０との接続に成功したら、ＶＩＤ決定部１３４は、その成功時のＶＩＤを、当該基地局１３０がＴａｇＶＬＡＮ方式によってサーバ１１０との通信に使用するＶＩＤに決定する。
【００２３】
図２に示すように詳細には、基地局１３０では、制御部１３２が全候補リスト１４０を参照し、それに記憶されている最初のＶＩＤであるＶＩＤ１を用いて通信部１３６によってサーバ１１０へＤＨＣＰパケットを送信することによりサーバ１１０との接続を試行する（ステップＳ２０２）。ステップＳ２０２の試行後、所定時間内にサーバ１１０からの応答がなかったら、すなわちタイムアウトしたら、制御部１３２は、サーバ１１０との接続が成功しなかったとして、ステップＳ２０２にて用いたＶＩＤ１は当該基地局１３０に設定するＶＩＤではないと判断する。
【００２４】
次に制御部１３２は、ＶＩＤ１の次のＶＩＤであるＶＩＤ２を用いて、ステップＳ２０２と同様にサーバ１１０との接続を試行する（ステップＳ２０４）。ステップＳ２０４の試行後、所定時間経過してもサーバ１１０からの応答がなかったら、制御部１３２は更に次のＶＩＤ３を用いてサーバ１１０との接続を試行する（ステップＳ２０６）。
【００２５】
ステップＳ２０６の試行後、所定時間内に、サーバ１１０からＩＰアドレスを含むＤＨＣＰパケット（応答パケット）が送信され（ステップＳ２０８）、それを基地局１３０が通信部１３６を通じて受信したら、ＶＩＤ決定部１３４は、サーバ１１０との接続に成功したと判断し、その成功したときのＶＩＤであるＶＩＤ３を当該基地局１３０のＶＩＤに決定する（ステップＳ２１０）。なお、ステップＳ２０６の試行後もサーバ１１０からの応答がない場合は、全候補リスト１４０に記憶されたＶＩＤを順次用いてサーバ１１０との接続を試行し、サーバ１１０からの応答が得られるまで接続の試行を繰り返す。
【００２６】
上記説明したように、本実施形態にかかる基地局１３０およびそのＶＩＤ決定方法によれば、設定すべきＶＩＤ、すなわちサーバ１１０のＶＩＤが事前に分かっていない場合であっても、基地局１３０においてＶＩＤを検出することができる。したがって、そのような場合においても基地局１３０のＶＩＤの設定、ひいてはＴａｇＶＬＡＮ方式によるサーバとの通信を行うことができ、基地局１３０の出荷が可能となる。
【００２７】
なお、上述した実施形態では、ＤＨＣＰパケットを送受信する場合を例示して説明したが、これに限定するものではない。基地局１３０からサーバ１１０へ送信するパケットは、サーバ１１０からの応答パケットが送信されるプロトコルであれば、他のパケットであってもよい。また本実施形態では、全候補リスト１４０に記憶されているＶＩＤを、値が小さい方から順に試行する場合を例示したが、これにおいても限定されず、試行順は任意に設定可能である。
【００２８】
更に、本実施形態では、候補リストとして、通信の規格上想定されうるすべてのＶＩＤが記憶されている全候補リスト１４０を例示したが、これにおいても限定するものではない。図３は、他の候補リストを備える基地局１３０ａおよび１３０ｂの機能ブロック図である。なお、図３に示す基地局１３０ａ・１３０ｂにおいて、上述した基地局１３０と重複する構成要素については同一の符号を付すことで説明を省略する。
【００２９】
図３（ａ）に示す基地局１３０ａでは、ＶＩＤのリストである候補リストとして、通信の規格上想定されうるすべてのＶＩＤの中から一部のＶＩＤを記憶した一部候補リスト１４０ａが記憶部１３８に格納されている。これにより、例えば通信事業者が予め使用が想定される一部のＶＩＤを抽出して一部候補リスト１４０ａとし、それを基地局１３０ａに記憶させておくことで、通信の規格上想定されうるすべてのＶＩＤのうち、使用が想定されるＶＩＤのみによって接続の試行を行うこととなる。したがって、通信の規格上想定されうるすべてのＶＩＤを用いて接続の試行を行う場合よりも効率的にＶＩＤを検出する（判断する）ことが可能となる。
【００３０】
また基地局１３０ａは、一部のＶＩＤを記憶した一部候補リスト１４０ａを候補リストとして備えているが、それに加えて、図１の基地局１３０が備えていた全候補リスト１４０を更に備える。これにより、一部候補リスト１４０ａ（候補リスト）に含まれるすべてのＶＩＤを用いて接続の試行を行ってもサーバ１１０との接続が成功しなかった場合に、全候補リスト１４０を参照して、一部候補リスト１４０ａに含まれないＶＩＤを用いてサーバ１１０との接続を試行することが可能となる。
【００３１】
図３（ｂ）に示す基地局１３０ｂでは、ＶＩＤのリストである候補リストとして、優先順位が異なる複数のリストである第１候補リスト１４０ｂおよび第２候補リスト１４０ｃが記憶部１３８に格納されている。第１候補リスト１４０ｂは、通信の規格上想定されうるすべてのＶＩＤの中から一部の優先順位が高いＶＩＤを記憶したリスト、すなわち優先順位が高いリストである。第２候補リスト１４０ｃは、すべてのＶＩＤの中から、第１候補リスト１４０ｂに記憶されるＶＩＤよりも優先順位が低いＶＩＤを記憶したリスト、すなわち優先順位が低いリストである。優先順位は、例えば地域（関東と関西、国内と国外）で分けたり、通信事業者で分けたりすることができる。
【００３２】
上記構成により、基地局１３０は、優先順位が高い第１候補リスト１４０ｂを参照してサーバ１１０との接続を試行し、その第１候補リスト１４０ｂに含まれるすべてのＶＩＤを用いて接続の試行を行っても成功しなかった場合に優先順位が低い第２候補リスト１４０ｃを参照してサーバ１１０との接続を試行することができる。したがって、基地局１３０ａと同様に効率的にＶＩＤを検出する（判断する）ことが可能となる。
【００３３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３４】
本発明は、ＴａｇＶＬＡＮ方式によってサーバと通信する通信端末、およびその通信端末がＴａｇＶＬＡＮ方式によってサーバとの通信に使用する識別番号であるＶＩＤを決定するＶＩＤ決定方法として利用可能である。
【符号の説明】
【００３５】
１００…通信システム、１１０…サーバ、１２０…ＶＬＡＮ、１３０…基地局、１３０ａ…基地局、１３０ｂ…基地局、１３２…制御部、１３４…ＶＩＤ決定部、１３６…通信部、１３８…記憶部、１４０…全候補リスト、１４０ａ…一部候補リスト、１４０ｂ…第１候補リスト、１４０ｃ…第２候補リスト
【図１】
2014216757.tif 000003
【図２】
2014216757.tif 000004
【図３】
2014216757.tif 000005